(57)【特許請求の範囲】
【請求項１】
一端が作業ケージに連結された複数本のワイヤロープの他端を、シーブを介してドラムの複数の巻取部にそれぞれ巻き取りまたは当該複数の巻取部からそれぞれ繰り出して昇降させる作業ケージ用昇降装置であって、前記複数本のワイヤロープをガイドする前記シーブを装置本体に固定する一方、前記ドラムの一端部に配置される駆動用モータと、前記ドラムの他端部に配置され当該駆動モータの駆動力が入力されて前記ドラムを回転駆動する減速機とを備えて回転駆動するとともに、軸方向に往復移動して前記ワイヤロープを前記各巻取部の端で逆方向に移動して重ね巻き整列状態で巻き取りまたは繰り出しする回転往復駆動機構を設けてなることを特徴とする作業ケージ用昇降装置。
【請求項２】
前記ドラムの回転往復駆動機構に、当該ドラムの軸方向と平行に配置される４か所のガイドシャフトと、これらガイドシャフトに沿ってガイドされるガイドブロックとでガイドする機構を備えたことを特徴とする請求項１記載の作業ケージ用昇降装置。
【請求項３】
前記ドラムの回転往復駆動機構に、前記ドラムの軸方向と平行に配置され前記ドラムの回転駆動力が伝達されて回転駆動される溝カムが形成されたカム軸と、このカム軸の溝カムに沿って相対往復移動されるガイドとを備えたことを特徴とする請求項１または２記載の作業ケージ用昇降装置。
【発明の詳細な説明】
【０００１】
【発明の属する技術分野】
この発明は建築構造物などの外壁面などへの作業を行う作業ケージを吊り下げるワイヤロープを巻き取ったり、繰り出したりして昇降させる作業ケージ用昇降装置に関し、作業ケージの吊り荷重が回転往復駆動機構に直接かからないようにしたものである。
【０００２】
【従来の技術】
建築構造物などの外壁面に対して作業を行う方法の一つに屋上などから吊り下げた作業ケージを用い、作業ケージ内の作業者や作業ケージに取り付けた作業装置を用いて作業を行うものがある。
【０００３】
このような作業ケージを用いて作業を行うためには、図１１示すように、屋上１のパラペット２の内側に沿って敷設したレール３上を走行する走行台車４に取付けた伸縮アーム５の先端部に旋回アーム６の中央部を取付け、走行台車４内に設置した昇降装置７を構成する巻取ドラム７ａに巻き掛けられるワイヤロープ８の先端を伸縮アーム５を介して旋回アーム６の両端部から吊り下げて作業ケージ９に連結しておき、ワイヤロープ８を昇降装置７の巻取ドラム７ａに巻き取ることで上昇させる一方、巻取ドラム７ａからワイヤロープ８を繰り出すことで下降させるようになっている。
【０００４】
従来の作業ケージの昇降装置７は、図１２に示すように、作業ケージ９を２本のワイヤロープ８，８で吊り下げる場合には、同軸上に２つの巻取ドラム７ａ，７ａが設けられ、それぞれのワイヤロープ８，８を巻取ドラム７ａの回転と同期回転されるガイド機構７ｂの角ねじ軸７ｃにねじ込まれた２つのシーブ７ｄ，７ｄで昇降時の一方向と下降時の逆方向に案内しながら巻取ドラム７ａ，７ａの周囲に整列状態で巻き取るようにし、これによって２本のワイヤロープ８，８の巻取り長さや繰出し長さの変化による作業ケージ９の傾きを防止するようにしている。
【０００５】
【発明が解決しようとする課題】
ところが、このような作業ケージ９の昇降装置７では、ワイヤロープ８を整列状態で巻き取るためのガイド機構７ｂのシーブ７ｄに作業ケージ９の吊り荷重が直接加わり、角ねじ軸７ｃの摩耗や破損が生じ易く、大きな荷重に耐え得る大がかりの角ねじ軸７ｃなどのガイド機構７ｂを用いる必要があり、装置が大型化するとともに高価であるという問題がある。
【０００６】
この発明は、かかる従来技術の課題に鑑みてなされたもので、吊り荷重を直接ワイヤロープのガイド機構に加えること無く、小型化できる作業ケージ用昇降装置を提供しようとするものである。
【０００７】
【課題を解決するための手段】
上記課題を解決するため、この発明の請求項１記載の作業ケージ用昇降装置は、一端が作業ケージに連結された複数本のワイヤロープの他端を、シーブを介してドラムの複数の巻取部にそれぞれ巻き取りまたは当該複数の巻取部からそれぞれ繰り出して昇降させる作業ケージ用昇降装置であって、前記複数本のワイヤロープをガイドする前記シーブを装置本体に固定する一方、前記ドラムの一端部に配置される駆動用モータと、前記ドラムの他端部に配置され当該駆動モータの駆動力が入力されて前記ドラムを回転駆動する減速機とを備えて回転駆動するとともに、軸方向に往復移動して前記ワイヤロープを前記各巻取部の端で逆方向に移動して重ね巻き整列状態で巻き取りまたは繰り出しする回転往復駆動機構を設けてなることを特徴とするものである。
【０００８】
この作業ケージ用昇降装置によれば、回転往復駆動機構を設けて作業ケージを吊り下げる複数本のワイヤロープがかけられるシーブを装置本体に固定し、これら複数本のワイヤロープを巻き取りまたは繰り出すドラムをその軸方向に往復移動して各巻取部の端で逆方向に移動して重ね巻き整列状態で巻取り等を行うようにしており、吊り荷重が重ね巻き整列状態のワイヤロープのガイド機構に直接加わらず、しかも小型化を図るようにしている。
また、ドラムの一端部に駆動用モータを配置し、他端部に駆動モータの駆動力が入力されてドラムを回転駆動する減速機を配置するようにしており、ドラム等の重量を均一化して円滑に往復移動できるようにしている。
【０００９】
また、この発明の請求項２記載の作業ケージ用昇降装置は、請求項１記載の構成に加え、前記ドラムの回転往復駆動機構に、当該ドラムの軸方向と平行に配置される４か所のガイドシャフトと、これらガイドシャフトに沿ってガイドされるガイドブロックとでガイドする機構を備えたことを特徴とするものである。．
この作業ケージ用昇降装置によれば、ドラムの軸方向と平行に配置される４か所のガイドシャフトと、これらガイドシャフトに沿ってガイドされるガイドブロックとでドラムをガイドするようにしており、大きなガイド機構とせずに小さなガイド機構を４か所に設けることで小型軽量化を図るようにしている。
【００１２】
また、この発明の請求項３記載の作業ケージ用昇降装置は、請求項１または２記載の構成に加え、前記ドラムの回転往復駆動機構に、前記ドラムの軸方向と平行に配置され前記ドラムの回転駆動力が伝達されて回転駆動される溝カムが形成されたカム軸と、このカム軸の溝カムに沿って相対往復移動されるガイドとを備えたことを特徴とするものである。
【００１３】
この作業ケージ用昇降装置によれば、ドラムの軸方向と平行に配置されドラムの回転駆動力が伝達されて回転駆動される溝カムが形成されたカム軸と、このカム軸の溝カムに沿って相対往復移動されるガイドとを備えてドラムの回転往復駆動機構を構成するようにしており、機構の簡素化を図りながらドラムの回転駆動と同時に往復移動させることができるようにしている。
【００１４】
【発明の実施の形態】
以下、この発明の一実施の形態を図面に基づき詳細に説明する。
【００１５】
ここでは、４本吊り作業ケージ用の昇降装置に適用した場合の一実施の形態について図１〜図１０に基づき説明する。
【００１６】
図１〜図１０はこの発明の作業ケージ用昇降装置の一実施の形態にかかり、図１はワイヤロープをガイドするシーブの配置を示す概略斜視図、図２はドラム部分の概略斜視図、図３はドラムの回転往復駆動機構部分の概略斜視図、図４は一部分を省略して示す概略正面図、図５は一部分を省略して示す概略平面図、図６は一部分を省略して示す概略右側面図、図７は一部分を省略して示す概略横断面図、図８は往復駆動機構部分の概略正面図、図９は往復駆動機構部分の概略平面図、図１０は往復駆動機構部分の概略右側面図である。
【００１７】
この作業ケージ用昇降装置１０は、図１に一部分の斜視外観を示すように、作業ケージ９を４本のワイヤロープ８で吊り下げて昇降するためのものであり、屋上のパラペット内側に沿って敷設されたレール上を走行する走行台車４内に設置されたり、無軌道式の走行台車や固定旋回式の台車内に設置される。
【００１８】
この作業ケージ用昇降装置１０は、４本のワイヤロープ８ａ，８ｂ，８ｃ，８ｄに対応して４か所の巻取部１１ａ，１１ｂ，１１ｃ，１１ｄを備えたドラム１１を備えており、ドラム１１の両端部に配置されたドラムスタンド１２ａ，１２ｂに端部中空軸１３ａ，１３ｂを介してドラム１１が回転可能に支持される。
【００１９】
これらドラムスタンド１２ａ，１２ｂは、４本のドラムステー１４ａで連結されてドラムフレーム１４が構成されている。
【００２０】
このドラム１１には、各巻取部１１ａ，１１ｂ，１１ｃ，１１ｄを仕切る環状のフランジ板が設けられ、それぞれにワイヤロープ８を多層の重ね巻きとした場合の巻取り高さ以上に突き出して設けてあり、さらに、これら巻取部１１ａ，１１ｂ，１１ｃ，１１ｄの外周には、ワイヤロープ８を整列状態で巻き掛けるための半円状の螺旋溝が形成してある。
【００２１】
このようなドラム１１を回転駆動するとともに、往復移動させてワイヤロープ８を整列状態で巻き取る回転往復駆動機構１５が設けられる。
【００２２】
まず、ドラム１１を回転駆動するため、ドラムフレーム１４を構成する一方のドラムスタンド１２ａの外側にブレーキ付きのモータ１６が取り付けられ、このモータ１６の出力軸１６ａの外周にベアリング１７を介してドラム１１と一体の端部中空軸１３ａが支持される一方、他方のドラムスタンド１２ｂの外側に２重のブレーキを備えた減速機１８が取り付けられ、２重軸構造の外周側の出力軸１８ａにドラム１１と一体の端部中空軸１３ｂがキーを介して連結され、ドラム１１が回転可能に支持されている。
【００２３】
モータ１６の出力軸１６ａには、カップリング１９ａを介して回転軸１９が連結され、この回転軸１９がドラム１１の中心部に配置されて減速機１８の２重軸構造の内周側の入力軸１８ｂに連結してある。
【００２４】
これにより、モータ１６を回転することで、その出力軸１６ａ、カップリング１９ａ、回転軸１９、減速機１８の入力軸１８ｂ、減速機１８の出力軸１８ａを介して端部中空軸１３ｂに回転駆動力が伝達され、端部中空軸１３ａ，１３ｂでドラムフレーム１４に支持されたドラム１１を回転駆動することができ、モータ１６の正逆転でドラム１１も正逆転できるようになっている。
【００２５】
また、ドラム１１を駆動するモータ１６のブレーキおよび減速機１８の二重のブレーキによってドラム１１を任意の位置に停止した状態を保持することができ、これによってワイヤロープ８を介して昇降される作業ケージ９を任意の作業位置に停止させることができる。
【００２６】
次に、このような回転駆動されるドラム１１を往復駆動するため、ドラムフレーム１４の４隅であるドラムスタンド１２ａ，１２ｂの両端部にそれぞれガイドブロック２０が下方に突き出して取り付けてあり、装置本体２１を構成する下部フレーム２１ａ上にドラム１１の中心軸方向と平行に取り付けたガイドシャフト２２に沿って往復移動可能に取り付けてある。
【００２７】
したがって、ドラムフレーム１４が４か所のガイドシャフト２２に沿ってガイドブロック２０を介して移動することで、ドラムフレーム１４内に支持されたドラム１１をその軸方向に往復移動することができる。
【００２８】
この往復移動可能なドラムフレーム１４を往復駆動し、ドラム１１の回転速度に同期してドラム１１を往復移動させ、ワイヤロープ８が整列状態に巻き取られるようにするため、ドラムスタンド１２ａの底部に円柱状のカム軸２３が設けられてギヤボックス２４を介して回転可能に支持され、カム軸２３の外周に逆方向の２つの螺旋で構成された８の字状のカム溝２３ａが形成してあり、このカム溝２３ａに沿ってガイドされるカムフォロア２５が装置本体２１を構成する下部ビーム２１ｂに固定してある。
【００２９】
そして、ギヤボックス２４の出力軸２４ｂにカム軸２３が連結される一方、入力軸２４ａにスプロケット２６が取り付けられ、ドラム１１の端部中空軸１３ａと一体に取り付けたスプロケット２７との間に巻掛けられたチェーン２８およびチェーンガイド２９によってドラム１１の回転に同期してギヤボックス２４の入力軸２４ａが駆動されるようになっている。このギヤボックス２４内には、入力軸２４ａにピニオンギヤ２４ｃが取り付けられ、中間ギヤ２４ｄ，２４ｅを介して出力軸２４ｂに取り付けられたギヤ２４ｆが噛み合っている。
【００３０】
これにより、ドラム１１が回転駆動されると、端部中空軸１３ａと一体のスプロケット２７が回転され、チェーン２８を介してギヤボックス２４の入力軸２４ａが駆動され、ピニオンギヤ２４ｃ、中間ギヤ２４ｄ，２４ｅ、ギヤ２４ｆを介して出力軸２４ａが回転されてカム軸２３が回転駆動される。
【００３１】
すると、カムフォロア２５が装置本体２１を構成する下部ビーム２１ｂに固定されていることから、カム軸２３の回転に伴ってドラムフレーム１４が往復移動され、ドラム１１の回転に同期して巻取ピッチ分だけドラム１１自体が往復移動されることになる。
【００３２】
そして、ドラム１１の４つの巻取部１１ａ，１１ｂ，１１ｃ，１１ｄにそれぞれ巻き掛けられる４本のワイヤロープ８ａ，８ｂ，８ｃ，８ｄがドラム１１に巻き取られながら巻取ピッチに合わせて移動され、整列状態で巻き取られたり、繰り出されたりし、ドラム１１のそれぞれの巻取部１１ａ，１１ｂ，１１ｃ，１１ｄの端まで巻き取られたり、繰り出されたりすると、カム溝２３ａによって逆方向にドラム１１が移動され、整列状態での多層の重ね巻きや繰り出しが行われる。
【００３３】
このような回転駆動されるとともに、回転に同期して往復移動されるドラム１１のドラムフレーム１４の外側を囲むように装置本体２１が設けてあり、装置本体２１の底部分は、既に説明したように、平行に配置された下部ビーム２１ｂ上に矩形に枠組みされた下部フレーム２１ａが取り付けられて構成され、この下部フレーム２１ａ上に前後部フレーム２１ｃ，２１ｄと左右部フレーム２１ｅ，２１ｆと上部フレーム２１ｇとが取り付けられて箱状に枠組みされた状態で装置本体２１が構成されている。
【００３４】
このように構成した装置本体２１には、ドラム１１の各巻取部１１ａ，１１ｂ，１１ｃ，１１ｄにそれぞれ巻き掛けられる４本のワイヤロープ８ａ，８ｂ，８ｃ，８ｄをガイドするガイドシーブ機構３０が設けられる。
【００３５】
このガイドシーブ機構３０を構成して最もドラム１１側に第１シーブ３１が配置され、この第１シーブ３１が４個の第１シーブ３１ａ，３１ｂ，３１ｃ，３１ｄで構成されて装置本体２１の前部フレーム２１ｃ上に水平軸回りに回転可能に設けられ、往復移動範囲の中央部に位置するドラム１１の各巻取部１１ａ，１１ｂ，１１ｃ，１１ｄの中央部に位置するように配置してあり、各第１シーブ３１ａ〜３１ｄの上部と前部をそれぞれ囲むようにコ字状のワイヤ外れ止め３２が取り付けてある。
【００３６】
これら第１シーブ３１のドラム１１の下流側に第２シーブ３３が配置され、この第２シーブ３３は６個の第２シーブ３３ａ，３３ｂ，３３ｃ，３３ｄ，３３ｅ，３３ｆで構成されて装置本体２１の後部フレーム２１ｄ上に垂直軸回りに回転可能に設けてあり、第２シーブ３３ａ，３３ｂ，３３ｄが下段に配置され、第２シーブ３３ｃ，３３ｅ，３３ｆが上段に配置してある。
【００３７】
そして、これら６個の第２シーブ３３ａ，３３ｂ，３３ｃ，３３ｄ，３３ｅ，３３ｆがシーブカバー３４で覆われ前面側だけが開口するようになっている。
【００３８】
さらに、これら第２シーブ３３のドラム１１に対する下流側に第３シーブ３５が配置され、この第３シーブ３５が４個の第３シーブ３５ａ，３５ｂ，３５ｃ，３５ｄで構成されて前部フレーム２１ｃの中央上部に４個が横に並べられて水平軸回りに回転可能に取り付けてある。
【００３９】
そして、ドラム１１の巻取部１１ａに巻き掛けられたワイヤロープ８ａが第１シーブ３１ａの下側から上側に巻き掛けられ、第２シーブ３３ａ，３３ｂを介して第３シーブ３５ａにガイドされ、巻取部１１ｂに巻き掛けられたワイヤロープ８ｂが第１シーブ３１ｂの下側から上側に巻き掛けられ、第２シーブ３３ｃを介して第３シーブ３５ｃにガイドされ、巻取部１１ｃに巻き掛けられたワイヤロープ８ｃが第１シーブ３１ｃの下側から上側に巻き掛けられ、第２シーブ３３ｄを介して第３シーブ３５ｂにガイドされ、巻取部１１ｄに巻き掛けられたワイヤロープ８ｄが第１シーブ３１ｄの下側から上側に巻き掛けられ、第２シーブ３３ｆ，３３ｅを介して第３シーブ３５ｄにガイドされるようになっており、４本のワイヤロープ８ａ〜８ｄが横に並べられた状態で第３シーブ３５ａ〜３５ｄから導き出されるようになっている。
【００４０】
こうしてガイドシーブ機構３０でガイドされた４本のワイヤロープ８ａ〜８ｄが、例えば図１に示すように、作業ケージ９の４隅に取付けられ、ドラム１１の巻取部１１ａ，１１ｂ，１１ｃ，１１ｄへのワイヤロープ８ａ〜８ｄの巻き掛けに際しては、ドラム１１の各巻取部１１ａ〜１１ｄの同一位置でドラム１１に巻き掛けられるとともに、第１シーブ３１、第２シーブ３３、第３シーブ３５を介して作業ケージ９に至るまでのワイヤロープ８の配索長さができるだけ同じになるようにしてある。
【００４１】
こうして４本のワイヤロープ８ａ〜８ｄが作業ケージ用昇降装置１０と作業ケージ９との間に連結された状態でドラム１１の駆動用のモータ１６を制御してワイヤロープ８ａ〜８ｄを巻き取ることで作業ケージ９が上昇され、巻き戻すことで作業ケージ９が下降され、ドラム１１を停止させて所定位置に作業ケージ９を保持して外壁面への作業が行われ、作業ケージ９の昇降にともなうワイヤロープ８ａ〜８ｄの巻き取り、巻き戻しは、装置本体２１に固定されたガイドシーブ機構３０によってガイドされて回転往復駆動機構１５で往復移動されるドラム１１に整列状態で重ねられて巻き取られたり、巻き戻したりされる。
【００４２】
このような作業ケージ用昇降装置１０によれば、ワイヤロープ８をガイドするガイドシーブ機構３０を構成する第１シーブ３１、第２シーブ３３、第３シーブ３５を装置本体２１に固定し、ドラム１１を回転往復駆動機構１５で回転駆動するとともに、往復移動させて整列状態でワイヤロープ８を巻き取ったり、繰り出したりするようにしたので、作業ケージ９の吊り荷重がかかったワイヤロープ８を往復移動させてドラム１１に整列状態にする必要がなく、吊り荷重を直接往復移動させるカム軸２３やカムフォロア２５にかからないようにすることができ、これらの構造を簡素化することができるとともに、その摩耗や破損を極力防止することができる。
【００４３】
また、この作業ケージ用昇降装置１０では、ワイヤロープ８を巻き取るドラム１１の往復移動をガイドするガイドブロック２０とガイドシャフト２２をドラムフレーム１４の４隅に分割して設置するようにしたので、軸方向に長いドラム１１であってもコンパクトの機構でガイドすることができ、装置の軽量化を図ることができるとともに、安価にできる。
【００４４】
さらに、この作業ケージ用昇降装置１０では、ドラム１１の両側にそれぞれモータ１６と減速機１８を分割して設置するようにしたので、往復移動されるドラムフレーム１４の重量が均一になり、各ガイドシャフト２２への負荷も均一になってスムーズに往復駆動することができる。
【００４５】
なお、上記実施の形態では、４本吊りの作業ケージに適用する場合で説明したが、これに限らず２本吊りの作業ケージに適用することもできる。
【００４６】
【発明の効果】
以上一実施の形態とともに具体的に説明したように、この発明の請求項１記載の作業ケージ用昇降装置によれば、回転往復駆動機構を設けて作業ケージを吊り下げる複数本のワイヤロープがかけられるシーブを装置本体に固定し、これら複数本のワイヤロープを巻き取りまたは繰り出すドラムをその軸方向に往復移動して各巻取部の端で逆方向に移動して重ね巻き整列状態で巻取り等を行うようにしたので、吊り荷重が直接ワイヤロープを重ね巻き整列状態とする機構に加わらず、摩耗や破損を極力防止できるとともに、これらの機構の小型化を図ることができる。
さらに、ドラムの一端部に駆動用モータを配置し、他端部に駆動モータの駆動力が入力されてドラムを回転駆動する減速機を配置するようにしたので、ドラム等の重量を均一化することができ、ドラムを円滑に往復移動することができる。
【００４７】
また、この発明の請求項２記載の作業ケージ用昇降装置によれば、ドラムの軸方向と平行に配置される４か所のガイドシャフトと、これらガイドシャフトに沿ってガイドされるガイドブロックとでドラムをガイドするようにしたので、大きなガイド機構とせずに小さなガイド機構を４か所に設けて小型軽量化を図ることができる。
【００４９】
また、この発明の請求項３記載の作業ケージ用昇降装置によれば、ドラムの軸方向と平行に配置されドラムの回転駆動力が伝達されて回転駆動される溝カムが形成されたカム軸と、このカム軸の溝カムに沿って相対往復移動されるガイドとを備えてドラムの回転往復駆動機構を構成するようにしたので、機構の簡素化を図りながらドラムの回転駆動と同時に往復移動することができる。
【図面の簡単な説明】
【図１】この発明の作業ケージ用昇降装置の一実施の形態にかかるワイヤロープをガイドするシーブの配置を示す概略斜視図である。
【図２】この発明の作業ケージ用昇降装置の一実施の形態にかかるドラム部分の概略斜視図である。
【図３】この発明の作業ケージ用昇降装置の一実施の形態にかかるドラムの回転往復駆動機構部分の概略斜視図である。
【図４】この発明の作業ケージ用昇降装置の一実施の形態にかかる一部分を省略して示す概略正面図である。
【図５】この発明の作業ケージ用昇降装置の一実施の形態にかかる一部分を省略して示す概略平面図である。
【図６】この発明の作業ケージ用昇降装置の一実施の形態にかかる一部分を省略して示す概略右側面図である。
【図７】この発明の作業ケージ用昇降装置の一実施の形態にかかる一部分を省略して示す概略横断面図である。
【図８】この発明の作業ケージ用昇降装置の一実施の形態にかかる往復駆動機構部分の概略正面図である。
【図９】この発明の作業ケージ用昇降装置の一実施の形態にかかる往復駆動機構部分の概略平面図である。
【図１０】この発明の作業ケージ用昇降装置の一実施の形態にかかる往復駆動機構部分の概略右側面図である。
【図１１】この発明の作業ケージ用昇降装置が適用される作業ケージの概略説明図である。
【図１２】従来の作業ケージ用昇降装置の概略を説明する外観斜視図である。
【符号の説明】
１  屋上
４  走行台車
５  伸縮アーム
６  旋回アーム
７  昇降装置
８  ワイヤロープ
９  作業ケージ
１０  作業ケージ用昇降装置
１１  ドラム
１１ａ，１１ｂ，１１ｃ，１１ｄ  巻取部
１４  ドラムフレーム
１５  回転往復駆動機構
１６  モータ（ブレーキ付き）
１８  減速機（２重ブレーキ付き）
１９  回転軸
２０  ガイドブロック
２１  装置本体
２２  ガイドシャフト
２３  カム軸
２４  ギヤボックス
２５  カムフォロア
２６，２７  スプロケット
２８  チェーン
３０  ガイドシーブ機構
３１  第１シーブ
３３  第２シーブ
３５  第３シーブ
【図１】
0004040793.tif 000002
【図２】
0004040793.tif 000003
【図３】
0004040793.tif 000004
【図４】
0004040793.tif 000005
【図５】
0004040793.tif 000006
【図６】
0004040793.tif 000007
【図７】
0004040793.tif 000008
【図８】
0004040793.tif 000009
【図９】
0004040793.tif 000010
【図１０】
0004040793.tif 000011
【図１１】
0004040793.tif 000012
【図１２】
0004040793.tif 000013